(57)【特許請求の範囲】
【請求項１】
入力された映像及び音声中間周波信号を第一の局部発振信号の周波数の切替に応じてそれよりも周波数が高い第一の中間周波信号又は前記第一の中間周波信号よりも周波数が低い第二の中間周波信号にアップコンバートする第一の混合器と、前記第一及び第二の中間周波信号を所定の周波数範囲内のいずれかのテレビジョン信号にダウンコンバートする第二の混合器とを備え、前記第二の混合器は前記第一の中間周波信号をそれよりも周波数が高い第二の局部発振信号によって前記所定の周波数範囲における所定の周波数までの前記テレビジョン信号にダウンコンバートすると共に、前記第二の中間周波信号をそれよりも周波数が高い第二の局部発振信号によって前記所定の周波数範囲における前記所定の周波数以上の前記テレビジョン信号にダウンコンバートし、前記第一の中間周波信号の周波数を前記所定の周波数の２倍以上に設定し、前記第二の中間周波信号の周波数を前記所定の周波数の２倍以下に設定したことを特徴とするテレビジョン信号送信機。
【請求項２】
前記第一の中間周波信号の周波数と前記第二の中間周波信号の周波数とを前記所定の周波数範囲のテレビジョン信号の最高周波数よりも高くしたことを特徴とする請求項１に記載のテレビジョン信号送信機。
【請求項３】
前記第一の周波数を１３００ＭＨｚ、前記第二の周波数を１０８０ＭＨｚとしたことを特徴とする請求項１又は２に記載のテレビジョン信号送信機。
【請求項４】
前記所定の周波数範囲の最低周波数はほぼ５０ＭＨｚであり、前記所定の周波数をほぼ６００ＭＨｚとしたことを特徴とする請求項３に記載のテレビジョン信号送信機。
【請求項５】
前記第一の中間周波信号を通過する第一のバンドパスフィルタと、前記第二の中間周波信号を通過する第二のバンドパスフィルタとを設け、前記第一の局部発振信号の周波数の切替に対応して前記第一又は第二のバンドパスフィルタの一方を前記第一の混合器と前記第二の混合器との間に介挿したことを特徴とする請求項１乃至４のいずれかに記載のテレビジョン信号送信機。
【発明の詳細な説明】
【０００１】
【発明の属する技術分野】
本発明は、ＣＡＴＶシステム等に使用されるテレビジョン信号送信機に関し、詳しくは映像及び音声信号によって変調された映像及び音声中間周波信号を送信すべきテレビビジョン信号に周波数変換するテレビジョン信号送信機に関する。
【０００２】
【従来の技術】
従来のテレビジョン信号送信機の構成を図３によって説明する。第一の混合器２１には映像信号及びび音声信号で変調された映像／音声中間周波信号（米国仕様では映像中間周波信号ＰＩＦが４５．７５ＭＨｚ、音声中間周波信号ＳＩＦが４１．２５ＭＨｚ）と第一の局部発振器２２から出力された第一の局部発振信号とが入力される。第一の局部発振器２２は発振周波数が１２５４．２５ＭＨｚとなるように第一のＰＬＬ回路２３によって制御される。よって、第一の混合器２１からは映像搬送波が１３００ＭＨｚ、音声搬送波が１２９５．５ＭＨｚの中間周波信号が出力される。
【０００３】
第一の混合器２１には中間周波増幅器２４、バンドパスフィルタ２５、中間周波増幅器２６、第二の混合器２７が順次縦続接続される。
【０００４】
第二の混合器２７には中間周波信号と第二の局部発振器２８から出力された第二の局部発振信号とが入力される。第二の局部発振器２８は第二のＰＬＬ回路２９によって制御され、およそ１３５０ＭＨｚから２３００ＭＨｚまでの間のいずれかの周波数で発振する。そして、中間周波信号の周波数と第二の局部発振信号の周波数との差であるおよそ５０ＭＨｚから１０００ＭＨｚの間のいずれかのテレビジョン信号が出力される。例えば第二の局部発信周波数が１３５５．２５ＭＨｚであれば、中間周波信号の周波数との差が５５．２５ＭＨｚ（映像搬送波）となり、チャンネル２のテレビジョン信号が出力される。
【０００５】
【発明が解決しようとする課題】
上記の構成では、図４に示すように中間周波信号Ｆｉの周波数が１３００ＭＨｚ、第二局部発振信号Ｌｏ２の周波数が１３５０ＭＨｚ〜２３００ＭＨｚであるから、出力されるテレビジョン信号Ｆｏの周波数は５０ＭＨｚ〜１０００ＭＨｚとなる。しかし、レベルは低いものの第二の混合器２７には中間周波信号の２倍高調波２Ｆｉ（２６００ＭＨｚ）が入力されていると、第二の局部発振信号Ｌｏ２との周波数差によって３００ＭＨｚ〜１２５０ＭＨｚの偽の信号Ｆｏ’が出力され、出力すべきテレビジョン信号Ｆｏの周波数と偽の信号Ｆｏ’の周波数とが一致する場合がある。
すなわち、Ｆｏ＝Ｌｏ−Ｆｉ、Ｆｏ’＝２Ｆｉ−ＬｏであるからＦｏ＝Ｆｏ’とすればＦｏ＝Ｆｉ／２＝６５０ＭＨｚとなる。またこの時はＬｏ＝３×Ｆｉ／２＝１９５０ＭＨｚとなる。
つまり、中間周波信号Ｆｉの１／２の周波数となるテレビジョン信号Ｆｏを出力するときには必然的に偽の信号Ｆｏ’との周波数が一致し、これによって妨害をうける。
【０００６】
具体的には、例えばＣＡＴＶのチャンネルＮｏ・１００のテレビジョン信号を出力しようとした場合、その映像搬送波は中間周波信号のほぼ１／２となる６４９．２５ＭＨｚであるので、第二の局部発振信号Ｌｏ２の周波数は１９４９．２５ＭＨｚとなる。そして６５０．７５ＭＨｚの偽の信号Ｆｏ’が発生する。これは同じチャンネル（Ｎｏ・１００）の映像搬送波とは２ＭＨｚ以内の位置で帯域内に入るため除去することが出来ず、妨害信号となる。
【０００７】
なお、上記の関係を成り立たせないようにするには、中間周波信号の周波数を高くして、テレビジョン信号の最高周波数の２倍（２０００ＭＨｚ）以上とすれば良いが、第一の局部発振周波数と第二の局部発振信号が極めて高くなるので、第一及び第二の局部発振器の構成が困難となる。
【０００８】
そこで、本発明は、局部発振器の発振周波数を高くすることなく、出力されるテレビジョン信号の周波数が中間周波信号の周波数の１／２となった場合でも中間周波信号の２倍高調波に基づく妨害信号を発生させないようにすることを目的とする。
【０００９】
【課題を解決するための手段】
上記課題の解決のために、本発明では、入力された映像及び音声中間周波信号を第一の局部発振信号の周波数の切替に応じてそれよりも周波数が高い第一の中間周波信号又は前記第一の中間周波信号よりも周波数が低い第二の中間周波信号にアップコンバートする第一の混合器と、前記第一及び第二の中間周波信号を所定の周波数範囲内のいずれかのテレビジョン信号にダウンコンバートする第二の混合器とを備え、前記第二の混合器は前記第一の中間周波信号をそれよりも周波数が高い第二の局部発振信号によって前記所定の周波数範囲における所定の周波数までの前記テレビジョン信号にダウンコンバートすると共に、前記第二の中間周波信号をそれよりも周波数が高い第二の局部発振信号によって前記所定の周波数範囲における前記所定の周波数以上の前記テレビジョン信号にダウンコンバートし、前記第一の中間周波信号の周波数を前記所定の周波数の２倍以上に設定し、前記第二の中間周波信号の周波数を前記所定の周波数の２倍以下に設定した。
【００１０】
また、前記第一の中間周波信号の周波数と前記第二の中間周波信号の周波数とを前記所定の周波数範囲のテレビジョン信号の最高周波数よりも高くした。
【００１１】
また、前記第一の周波数を１３００ＭＨｚ、前記第二の周波数を１０８０ＭＨｚとした。
【００１２】
また、前記所定の周波数範囲の最低周波数はほぼ５０ＭＨｚであり、前記所定の周波数をほぼ６００ＭＨｚとした。
【００１３】
また、前記第一の中間周波信号を通過する第一のバンドパスフィルタと、前記第二の中間周波信号を通過する第二のバンドパスフィルタとを設け、前記第一の局部発振信号の周波数の切替に対応して前記第一又は第二のバンドパスフィルタの一方を前記第一の混合器と前記第二の混合器との間に介挿した。
【００１４】
【発明の実施の形態】
本発明のテレビジョン信号送信機の構成を図１及び図２によって説明する。第一の混合器１には映像信号及びび音声信号で変調された映像／音声中間周波信号（米国仕様では映像中間周波信号ＰＩＦが４５．７５ＭＨｚ、音声中間周波信号ＳＩＦが４１．２５ＭＨｚであるが、以下では代表して映像中間周波信号という）と、第一の局部発振器２から出力された第一の局部発振信号とが入力される。第一の局部発振器２はその発振周波数（第一局部発振周波数数という）が１２５４．２５ＭＨｚ又は１０３４．２５ＭＨｚに切り替えられるように第一のＰＬＬ回路３によって制御される。よって、第一の混合器１からは映像搬送波が１３００ＭＨｚで音声搬送波が１２９５．５ＭＨｚとなる第一の中間周波信号Ｆｉ１、又は映像搬送波が１０８０ＭＨｚで音声搬送波が１０７５．５ＭＨｚとなる第二の中間周波信号Ｆｉ２が出力される。映像搬送波と音声搬送波とは４．５ＭＨｚの間隔であるので、以下においては映像搬送波の周波数で代表して説明する。また、中間周波信号の周波数を中間周波数という。
【００１５】
第一の混合器１の次段には第一の中間周波増幅器４が設けられ、その次段には第一の切替手段５が設けられる。第一の切替手段５の次段には第一のバンドパスフィルタ６と第二のバンドパスフィルタ７とが併設され、いずれか一方が切替手段５によって第一の中間周波増幅器４に接続される。また、二つのバンドパスフィルタ６、７の次段には第二の切替手段８が設けられ、いずれか一方が次段の第二の中間周波増幅器９に接続される。第一のバンドパスフィルタ６はほぼ１３００ＭＨｚを通過し、第二のバンドパスフィルタ７はほぼ１０８０ＭＨｚを通過する。第一の切替手段５と第二の切替手段８との切り替え動作は連動する。第二の中間周波増幅器９の次段には第二の混合器１０が設けられる。
【００１６】
第二の混合器１０には中間周波信号と第二の局部発振器１１から出力された第二の局部発振信号とが入力される。第二の局部発振器１１は第二のＰＬＬ回路１２によって制御され、およそ１３５０ＭＨｚから１９００ＭＨｚまでの低域側局部発振信号Ｌｏ２１又は１６８０ＭＨｚから２０８０ＭＨｚまでの高域側局部発振信号Ｌｏ２２を出力する。以下、第二の局部発振信号の周波数を第二局部発振周波数、低域側局部発振信号の周波数を低域側局部発振周波数、高域側局部発振信号の周波数を高域側局部発振周波数という。
【００１７】
以上の構成において、映像中間周波信号は１２５４．２５ＭＨｚ又は１０３４．２５ＭＨｚの第一の局部発振信号によって１３００ＭＨｚ又は１０８０ＭＨｚの中間周波信号Ｆｉ１、Ｆｉ２に変換されて第一の混合器１から出力される。中間周波数が１３００ＭＨｚのときは第一及び第二の切替手段５、８によって第一のバンドパスフィルタ６が選択されて第一の中間周波増幅器４と第二の中間周波増幅器８との間に介挿され、中間周波数が１０８０ＭＨｚのときは第二のバンドパスフィルタ７が選択されて第一の中間周波増幅器４と第二の中間周波増幅器８との間に介挿される。
【００１８】
また、中間周波信号は第二の局部発振信号によって所定の周波数範囲、例えば５０ＭＨｚ〜１０００ＭＨｚの間のいずれかの周波数のテレビジョン信号Ｆｏに変換されて第二の混合器１０から出力される。
【００１９】
ここで、出力すべきテレビジョン信号Ｆｏの最高周波数が中間周波数Ｆｉの１／２以下であれば、中間周波信号Ｆｉの２倍高調波２Ｆｉと第二の局部発振信号Ｌｏ２とによって発生する偽の信号Ｆｏ’がテレビジョン信号Ｆｏと同じ周波数に一致しないことが分かっているので、５０ＭＨｚから所定の周波数Ｆｃ、例えば６００ＭＨｚ（米国仕様のチャンネルＮｏ・８６）までのテレビジョン信号Ｆｏ１を出力する時には第一の局部発振周波数を１２５４．２５ＭＨｚとし、図２Ａに示すように、１３００ＭＨｚの第一の中間周波信号Ｆｉ１にしている。この時は第二の局部発振器は必然的に１３５０ＭＨｚから１９００ＭＨｚまでの低域側局部発振信号Ｌｏ２１を出力する。
【００２０】
この条件では、第一の中間周波信号Ｆｉ１の２倍高調波２Ｆｉと低域側局部発振信号Ｌｏ２１とによる偽の信号の最低周波数は７００ＭＨｚ（＝２６００ＭＨｚ−１９００ＭＨｚ）となり、出力すべきテレビジョン信号の周波数（最高周波数が６００ＭＨｚ）とは１００ＭＨｚ離れて重ならない。
【００２１】
また、６００ＭＨｚ（米国仕様のチャンネルＮｏ・８７）以上のテレビジョン信号Ｆｏ２を出力する時には第一の局部発振周波数を１０３４．２５ＭＨｚとし、図２Ｂに示すように、第二の中間周波信号Ｆｉ２の周波数を６００ＭＨｚの２倍以下である１０８０ＭＨｚにしている。この時は第二の局部発振器は必然的に１６８０ＭＨｚから２０８０ＭＨｚまでの高域側局部発振信号Ｌｏ２２を出力する。
【００２２】
この条件では第二の中間周波信号Ｆｉ２の周波数は６００ＭＨｚの１／２以上であるので第二の中間周波信号Ｆｉ２の２倍高調波２Ｆｉ２と高域側局部発振信号Ｌｏ２２とによる偽の信号Ｆｏ２’の最高周波数は４８０ＭＨｚ（＝２１６０ＭＨｚ−１６８０ＭＨｚ）となり、出力すべきテレビジョン信号Ｆｏ２の周波数（最低周波数が６００ＭＨｚ）とは１２０ＭＨｚ離れて重ならない。
【００２３】
また、第一及び第二の中間周信号Ｆｉ１、Ｆｉ２のいずれの周波数も出力されるテレビジョン信号Ｆｏの最高周波数よりも５０ＭＨｚ以上高いので出力するテレビジョン信号Ｆｏに重畳される心配はない。
【００２４】
【発明の効果】
以上説明したように、本発明では、第二の混合器は第一の中間周波信号をそれよりも周波数が高い第二の局部発振信号によって所定の周波数範囲における所定の周波数までのテレビジョン信号にダウンコンバートすると共に、第二の中間周波信号をそれよりも周波数が高い第二の局部発振信号によって所定の周波数範囲における所定の周波数以上のテレビジョン信号にダウンコンバートし、第一の中間周波信号の周波数を所定の周波数の２倍以上に設定し、第二の中間周波信号の周波数を前記所定の周波数の２倍以下に設定したので、いずれの中間周波信号の２倍高調波と第二局部発振信号との差による偽の信号が、出力されるテレビジョン信号のいずれとも周波数が合致することはなく、妨害を受けない。
【００２５】
また、第一の中間周波信号の周波数と第二の中間周波信号の周波数とを所定の周波数範囲のテレビジョン信号の最高周波数よりも高くしたので、出力されるテレビジョン信号が中間周波信号によって妨害を受けない。
【００２６】
また、第一の周波数を１３００ＭＨｚ、第二の周波数を１０８０ＭＨｚとしたので、第二の局部発振信号を低くすることが出来る。
【００２７】
また、所定の周波数範囲の最低周波数はほぼ５０ＭＨｚであり、所定の周波数をほぼ６００ＭＨｚとしたので、米国仕様のＣＡＴＶシステムに使用することが出来る。
【００２８】
また、第一の中間周波信号を通過する第一のバンドパスフィルタと、第二の中間周波信号を通過する第二のバンドパスフィルタとを設け、第一の局部発振信号の周波数の切替に対応して第一又は第二のバンドパスフィルタの一方を第一の混合器と第二の混合器との間に介挿したので、一方の中間周波信号のみを第二の混合器に入力出来る。
【図面の簡単な説明】
【図１】本発明のテレビジョン信号送信機の構成を示すブロック図である。
【図２】本発明のテレビジョン信号送信機における周波数変換の様子を示す図である。
【図３】従来のテレビジョン信号送信機の構成を示すブロック図である。
【図４】従来のテレビジョン信号送信機における周波数変換の様子を示す図である。
【符号の説明】
１  第一の混合器
２  第一の局部発振器
３  第一のＰＬＬ回路
４  第一の中間周波増幅器
５  第一の切替手段
６  第一のバンドパスフィルタ
７  第二のバンドパスフィルタ
８  第二の切替手段
９  第二の中間周波増幅器
１０  第二の混合器
１１  第二の局部発振器
１２  第二のＰＬＬ回路
【図１】
0003892707.tif 000002
【図２】
0003892707.tif 000003
【図３】
0003892707.tif 000004
【図４】
0003892707.tif 000005